(57)【要約】【課題】コジェネレーションの発電装置が発電した電力で、空調装置が消費する電力をなるべく賄うことができる空調システムを提供する。【解決手段】空調システム１００は、部屋の実際の室温に所定値を加算又は減算して空調装置２１〜２３の制御目標温度Ｔｓ１〜Ｔｓ３をそれぞれ算出する制御目標温度算出部３ｅと、空調装置２１〜２３総消費電力Ｐｎが発電装置１の最大出力電力Ｗ未満である場合に、制御目標温度算出部３ｅによって算出された各制御目標温度Ｔｓ１〜Ｔｓ３となるように空調装置２１〜２３を制御する第一駆動制御部３ｆと、空調装置２１〜２３の総消費電力Ｐｎが発電装置１の最大出力電力Ｗ以上である場合に、現在の各制御目標温度Ｔｓ１〜Ｔｓ３を維持して、当該各制御目標温度Ｔｓ１〜Ｔｓ３となるように空調装置２１〜２３を制御する第二駆動制御部３ｇと、を有する。【選択図】図２
2018009763.tif 000002
【特許請求の範囲】
【請求項１】
建物に設けられ、系統電源に接続された電力負荷に電力を供給する発電装置を備えたコジェネレーションと、
前記電力負荷であり、前記建物内の一又は複数の部屋に配設され、前記系統電源及び前記発電装置の少なくともいずれか一方から供給される電力によって駆動されることで前記各部屋内をそれぞれ空調する一又は複数の空調装置と、
前記一又は複数の空調装置を制御する制御装置と、を備えた空調システムであって、
前記制御装置は、
前記各空調装置が配設されている前記各部屋の温度をそれぞれ取得する温度取得部と、
前記一又は複数の空調装置において要求値として設定される目標温度である設定目標温度を前記一又は複数の空調装置からそれぞれ取得する設定目標温度取得部と、
前記発電装置の最大出力電力を取得する最大出力電力取得部と、
前記一又は複数の空調装置の消費電力の合計である総消費電力を導出する総消費電力導出部と、
前記設定目標温度取得部によって取得された前記設定目標温度に近づくように、前記温度取得部によってそれぞれ取得された前記部屋の実際の温度に所定値を加算又は減算して前記一又は複数の空調装置の駆動制御量に相当する制御目標温度をそれぞれ算出する制御目標温度算出部と、
前記総消費電力導出部によって導出された前記総消費電力が前記最大電力取得部によって取得された前記最大出力電力未満である場合に、前記制御目標温度算出部によって算出された前記各制御目標温度となるように前記一又は複数の空調装置を制御する第一駆動制御部と、
を備えた空調システム。
【請求項２】
前記総消費電力導出部によって導出された前記総消費電力が前記最大電力取得部によって取得された前記最大出力電力以上である場合に、現在の前記各制御目標温度を維持して、当該各制御目標温度となるように前記一又は複数の空調装置を制御する第二駆動制御部を備えた請求項１に記載の空調システム。
【請求項３】
前記第一駆動制御部は、前記空調装置が複数である場合に、前記制御目標温度が前記設定目標温度に達するまでにおいて、前記空調装置の制御を順番に行う請求項１又は請求項２に記載の空調システム。
【請求項４】
前記第一駆動制御部は、前記制御目標温度と前記空調装置が設置されている前記部屋の温度との差である温度差がより大きい前記空調装置から順番に、前記空調装置の制御を行う請求項３に記載の空調システム。
【請求項５】
前記第一駆動制御部は、前記空調装置が複数である場合に、前記制御目標温度が前記設定目標温度に達するまでにおいて、前記制御目標温度と前記空調装置が設置されている前記部屋の温度との差である温度差が大きい前記空調装置の前記制御を優先して行う請求項１又は請求項２に記載の空調システム。
【請求項６】
前記制御目標温度算出部が最初に前記制御目標温度を算出する際に前記部屋の実際の温度に加算又は減算する所定値は、前記制御目標温度算出部が二回目以降に前記制御目標温度を算出する際に前記部屋の実際の温度に加算又は減算する所定値よりも大きく設定されている請求項４又は請求項５に記載の空調システム。
【発明の詳細な説明】
【技術分野】
【０００１】
本発明は、空調システムに関する。
【背景技術】
【０００２】
従来から特許文献１に示されるように、空調装置を制御するシステムにおいて、「通常制御」と「通常制御」に比べて空調装置の消費電力を低減させる「省エネ制御」とを切り替える空調システムが提案されている。この空調システムにおいて「通常制御」が実行される場合には、空調装置が設置されている部屋の温度と空調装置の目標温度の差に応じてモータの回転速度が制御される。一方で、空調システムにおいて「省エネ制御」が実行される場合には、空調装置の設定温度とこの設定温度に対応した最小の消費電力となるモータの回転速度とが紐付けされた状態で、この設定温度が段階的に変更される。これにより、空調システムにおいて「省エネ制御」が実行される場合には、空調装置の運転が開始されてから空調装置が設置されている部屋の温度が目標温度に到達するまでに使われる余分な消費電力が削減される。
【先行技術文献】
【特許文献】
【０００３】
【特許文献１】国際公開第２０１５／０２９１７７号公報
【発明の概要】
【発明が解決しようとする課題】
【０００４】
系統電源に接続された空調装置に電力を供給する発電装置を備えたコジェネレーションがある。このようなコジェネレーションでは、空調装置の総消費電力がコジェネレーションの発電装置の最大出力電力を越えると、最大出力電力を越えた電力分が系統電源から空調装置に供給される。このようなコジェネレーションと特許文献１に記載の空調システムとを組み合わせた場合において、コジェネレーションの発電装置が発電した電力で、空調装置が消費する電力をなるべく賄うことが好ましい。これは、系統電源から購入する電力のコストよりも、コジェネレーションの発電装置で発電する電力のコストのほうが低いからである。
【０００５】
本発明は、上述した問題を解消するためになされたもので、コジェネレーションの発電装置が発電した電力で、空調装置が消費する電力をなるべく賄うことができる空調システムを提供することを目的とする。
【課題を解決するための手段】
【０００６】
上記の課題を解決するため、請求項１に係る空調システムの発明は、建物に設けられ、系統電源に接続された電力負荷に電力を供給する発電装置を備えたコジェネレーションと、前記電力負荷であり、前記建物内の一又は複数の部屋に配設され、前記系統電源及び前記発電装置の少なくともいずれか一方から供給される電力によって駆動されることで前記各部屋内をそれぞれ空調する一又は複数の空調装置と、前記一又は複数の空調装置を制御する制御装置と、を備えた空調システムであって、前記制御装置は、前記各空調装置が配設されている前記各部屋の温度をそれぞれ取得する温度取得部と、前記一又は複数の空調装置において要求値として設定される目標温度である設定目標温度を前記一又は複数の空調装置からそれぞれ取得する設定目標温度取得部と、前記発電装置の最大出力電力を取得する最大出力電力取得部と、前記一又は複数の空調装置の消費電力の合計である総消費電力を導出する総消費電力導出部と、前記設定目標温度取得部によって取得された前記設定目標温度に近づくように、前記温度取得部によってそれぞれ取得された前記部屋の実際の温度に所定値を加算又は減算して前記一又は複数の空調装置の駆動制御量に相当する制御目標温度をそれぞれ算出する制御目標温度算出部と、前記総消費電力導出部によって導出された前記総消費電力が前記最大電力取得部によって取得された前記最大出力電力未満である場合に、前記制御目標温度算出部によって算出された前記各制御目標温度となるように前記一又は複数の空調装置を制御する第一駆動制御部と、を備える。
【発明の効果】
【０００７】
このように、制御目標温度算出部は、設定目標温度に近づくように、部屋の実際の温度に所定値を加算又は減算して一又は複数の空調装置の駆動制御量に相当する制御目標温度をそれぞれ算出する。そして、第一駆動制御部は、空調装置の総消費電力が発電装置の最大出力電力未満である場合に、制御目標温度算出部によって算出された各制御目標温度となるように一又は複数の空調装置の制御をする。これにより、空調装置の総消費電力が、最大出力電力未満である場合に、制御目標温度が、設定目標温度に近づくように徐々に高く又は低くなる。このため、制御目標温度が設定目標温度に近づく際に、制御目標温度が大きく変更されることに起因して、空調装置の消費電力が一度に増大することが抑制される。この結果、空調装置の総消費電力がコジェネレーションの発電装置の最大出力電力を大きく越えることが抑制される。よって、コジェネレーションの発電装置が発電した電力で、空調装置が消費する電力をなるべく賄うことができる空調システムを提供することができる。
【図面の簡単な説明】
【０００８】
【図１】空調システムの説明図である。
【図２】制御装置のブロック図である。
【図３】第一実施形態の「空調装置制御」における、時間と各空調装置の消費電力との関係を表したタイムチャートである。
【図４】第一実施形態の「空調装置制御」における、時間と空調装置の制御目標温度との関係を表したタイムチャートである。
【図５】第一実施形態の「空調装置制御」のフローチャートである。
【図６】第二実施形態の「空調装置制御」における、時間と各空調装置の消費電力との関係を表したタイムチャートである。
【図７】第二実施形態の「空調装置制御」のフローチャートである。
【発明を実施するための形態】
【０００９】
以下に、図１を用いて、本実施形態の空調システム１００の説明をする。空調システム１００は、コジェネレーション５０、操作部２、制御装置３、分電盤４、スマートメータ５、通信装置６、第一空調装置２１〜第三空調装置２３、及び第一コントローラ３１〜第三コントローラ３３を有している。コジェネレーション５０を含む空調システム１００は、建物９０内に設けられている。なお、図１において、太い実線は、電流が流れる電力線を表している。また、図１において、細い実線は、有線又は無線の通信手段を表している。そして、図１において、破線は、無線の通信手段を表している。
【００１０】
コジェネレーション５０は、発電装置１、熱交換器４０１、及び貯湯槽４０２から構成されている。コジェネレーション５０は、発電装置１から発生した排熱から温水を生成し、総合エネルギー効率を高めるシステムである。
発電装置１は、系統電源３０１に接続された電力負荷である空調装置２１〜２３にも電力を供給するものである。本実施形態では、発電装置１は、改質用原料として天然ガスなどが供給され、この改質用原料が改質された改質ガスと空気中に含まれる酸素とを化学反応によって発電する燃料電池装置である。本実施形態では、燃料電池装置は、固体酸化物形燃料電池（ＳＯＦＣ）である。
【００１１】
空調装置２１〜２３の総消費電力Ｐｎが発電装置１の最大出力電力Ｗを越えない場合には、発電装置１の出力電力が空調装置２１〜２３の消費電力の合計値となるように、発電装置１は負荷追従運転を実行する。一方で、空調装置２１〜２３の総消費電力Ｐｎが発電装置１の最大出力電力Ｗを越える場合には、発電装置１は最大出力電力Ｗで運転する。この場合には、空調装置２１〜２３の総消費電力Ｐｎが発電装置１の最大出力電力Ｗを越えた分の電力が、系統電源３０１から空調装置２１〜２３に供給される。
【００１２】
発電装置１の発電により発生した熱は、水道水との間で熱交換を行う熱交換器４０１によって温水が生成され、生成された温水は貯湯槽４０２において貯湯される。貯湯槽４０２において貯湯された温水は、湯利用機器４０３において使用される。なお、湯利用機器４０３は、浴槽、シャワ、キッチン（キッチンの蛇口）、洗面所（洗面所の蛇口）などである。
【００１３】
操作部２は、発電装置１と無線又は有線の通信方法によって通信可能に接続され、発電装置１の設定変更等の操作を行うものである。
制御装置３は、発電装置１、分電盤４、スマートメータ５、通信装置６、及び空調装置２１〜２３と無線又は有線の通信方法によって通信可能に接続されている。制御装置３は、空調システム１００の統括制御を行うものである。制御装置３には、後述する「空調装置制御」（図５、７示）のプログラムが記憶され、「空調装置制御」を実行する。
【００１４】
分電盤４は、発電装置１、スマートメータ５、及び空調装置２１〜２３と、送受電可能に接続されている。分電盤４は、スマートメータ５を介して、系統電源３０１から電力が供給される。また、分電盤４は、発電装置１から電力が供給される。分電盤４は、電力を空調装置２１〜２３に供給する。分電盤４は、分電盤４から各空調装置２１〜２３に供給されている電力量、つまり、各空調装置２１〜２３の消費電力を検出し、その検出結果を制御装置３に出力する。
【００１５】
スマートメータ５は、系統電源３０１から分電盤４に供給される電力を計測し、その計測結果を制御装置３に出力する。通信装置６は、携帯電話回線やインターネット回線等の公衆通信回線５０１と接続し、公衆通信回線５０１と制御装置３との間の通信を成立させる。また、通信装置６は、ユーザが使用するスマートフォンやタブレットＰＣ等の携帯端末２０１と通信し、携帯端末２０１と制御装置３間の通信を可能としている。なお、携帯端末２０１は、公衆通信回線５０１と通信可能となっている。このため、公衆通信回線５０１と通信可能な携帯端末２０１は、公衆通信回線５０１及び通信装置６を介して、制御装置３と通信可能である。
【００１６】
第一空調装置２１〜第三空調装置２３は、それぞれ、建物９０内の複数の部屋９１〜９３に配設されている。第一空調装置２１〜第三空調装置２３は、分電盤４を介して、系統電源３０１及び発電装置１の少なくともいずれか一方から供給される電力によって駆動される。第一空調装置２１〜第三空調装置２３は、各部屋９１〜９３を冷やす冷房、又は各部屋９１〜９３を暖める暖房を行うことにより、各部屋９１〜９３を空調する。第一空調装置２１〜第三空調装置２３は、分電盤４から供給される系統電源３０１及び発電装置１の少なくとも一方から供給される電力によって駆動される。第一空調装置２１〜第三空調装置２３は、上記供給された電力にモータ（不図示）によって駆動されるコンプレッサー（不図示）を含むヒートポンプ（不図示）によって、熱の移動を行う、エアコンディショナである。各空調装置２１〜２３には、それぞれ、設置されている部屋９１〜９３の温度を検出し、その検出結果を制御装置３に出力する温度センサ２１ａ〜２３ａ（温度取得部）が設けられている。
【００１７】
第一コントローラ３１〜第三コントローラ３３は、それぞれ、第一空調装置２１〜第三空調装置２３と赤外通信等の無線通信方法又は有線によって接続されている。第一コントローラ３１〜第三コントローラ３３は、ユーザの操作によって、それぞれ、空調装置２１〜２３の運転を開始させ、また、運転している空調装置２１〜２３を停止させる。また、第一コントローラ３１〜第三コントローラ３３は、ユーザの操作によって、それぞれ、各空調装置２１〜２３のそれぞれの設定目標温度Ｔｅ１〜Ｔｅ３を変更する。設定目標温度Ｔｅ１〜Ｔｅ３は、それぞれの空調装置２１〜２３において要求値として設定される目標温度である。
【００１８】
ユーザは、携帯端末２０１を操作することによって、空調装置２１〜２３の運転の開始させることができ、また、運転している空調装置２１〜２３を停止させることができる。また、ユーザは、携帯端末２０１を操作することによって、各空調装置２１〜２３のそれぞれの設定目標温度Ｔｅ１〜Ｔｅ３を変更することができる。また、ユーザは、携帯端末２０１を操作することにより、後述する「空調装置制御」を停止させることができる。上記したように、携帯端末２０１は公衆通信回線５０１と通信可能であるので、携帯端末２０１が通信装置６と通信できない遠隔地にある場合であっても、ユーザは、携帯端末２０１を操作することにより、空調装置２１〜２３の上記操作を行うことができる。
【００１９】
次に、図２を用いて、制御装置３のブロック図について説明する。図２に示すように、制御装置３は、最大出力電力取得部３ａ、総消費電力導出部３ｂ、設定目標温度取得部３ｃ、温度取得部３ｄ、制御目標温度算出部３ｅ、第一駆動制御部３ｆ、及び第二駆動制御部３ｇを有している。
最大出力電力取得部３ａは、発電装置１が供給することができる電力の最大値である最大出力電力Ｗを、発電装置１から取得する。
総消費電力導出部３ｂは、各空調装置２１〜２３のそれぞれの消費電力を分電盤４からそれぞれ取得する。そして、総消費電力導出部３ｂは、取得した各空調装置２１〜２３のそれぞれの消費電力を合計し、空調装置２１〜２３の消費電力を合計である総消費電力Ｐｎを導出する。
設定目標温度取得部３ｃは、各コントローラ３１〜３３によって設定された設定目標温度Ｔｅ１〜Ｔｅ３を、各空調装置２１〜２３をからそれぞれ取得する。また、設定目標温度取得部３ｃは、携帯端末２０１によって設定された設定目標温度Ｔｅ１〜Ｔｅ３を、通信装置６を介して取得する。
温度取得部３ｄは、空調装置２１〜２３が設けられているそれぞれの部屋９１〜９３の温度Ｔ１〜Ｔ３を、各空調装置２１〜２３に設けられた温度センサ２１ａ〜２３ａから取得する。
【００２０】
制御目標温度算出部３ｅは、設定目標温度Ｔｅ１〜Ｔｅ３に近づくように、温度取得部３ｄによってそれぞれ取得された部屋９１〜９３の実際の温度に一回目温度設定幅ΔＴｓ０１〜ΔＴｓ０３又は二回目以降温度設定幅ΔＴｓ１〜ΔＴｓ３を加算又は減算して複数の空調装置２１〜２３の駆動制御量に相当する一回目の制御目標温度Ｔｓ０１〜Ｔｓ０３又は二回目以降制御目標温度Ｔｓ１〜Ｔｓ３をそれぞれ算出する。空調装置２１〜２３が暖房運転を行っている場合には、制御目標温度算出部３ｅは、空調装置２１〜２３が設けられている部屋９１〜９３の温度Ｔ１〜Ｔ３に一回目温度設定幅ΔＴｓ０１〜ΔＴｓ０３又は二回目以降温度設定幅ΔＴｓ１〜ΔＴｓ３を加算する。一方で、空調装置２１〜２３が冷房運転を行っている場合には、制御目標温度算出部３ｅは、空調装置２１〜２３が設けられている部屋９１〜９３の温度Ｔ１〜Ｔ３に一回目温度設定幅ΔＴｓ０１〜ΔＴｓ０３又は二回目以降温度設定幅ΔＴｓ１〜ΔＴｓ３を減算する。
【００２１】
第一駆動制御部３ｆは、空調装置２１〜２３の総消費電力Ｐｎが発電装置１の最大出力電力Ｗ未満である場合に、複数の空調装置２１〜２３の設定温度を、一回目の制御目標温度Ｔｓ０１〜Ｔｓ０３又は二回目以降制御目標温度Ｔｓ１〜Ｔｓ３に変更する。そして、第一駆動制御部３ｆは、一回目の制御目標温度Ｔｓ０１〜Ｔｓ０３又は二回目以降制御目標温度Ｔｓ１〜Ｔｓ３となるように複数の空調装置２１〜２３を制御する。
第二駆動制御部３ｇは、空調装置２１〜２３の総消費電力Ｐ１が発電装置１の最大出力電力Ｗ以上である場合には、空調装置２１〜２３の設定温度として現在の一回目の制御目標温度Ｔｓ０１〜Ｔｓ０３又は二回目以降制御目標温度Ｔｓ１〜Ｔｓ３を維持し、この一回目の制御目標温度Ｔｓ０１〜Ｔｓ０３又は二回目以降制御目標温度Ｔｓ１〜Ｔｓ３となるように複数の空調装置２１〜２３を制御する。
【００２２】
（第一実施形態の空調装置制御の概要）
以下に、図３及び図４を用いて、第一実施形態の「空調装置制御」の概要について説明する。なお、図３及び図４は、空調装置２１〜２３が暖房運転を行うことにより、各空調装置２１〜２３が設けられている部屋９１〜９３の温度Ｔ１〜Ｔ３が徐々に、ユーザがそれぞれ設定した設定目標温度Ｔｅ１〜Ｔｅ３に近づく例を示している。また、図３と図４の時刻ｔ１及び時刻ｔ２はそれぞれ対応している。図４において、実線は第一空調装置２１が設置されている部屋９１の温度Ｔ１を表し、破線は第一空調装置２１の一回目の制御目標温度Ｔｓ０１及び二回目以降制御目標温度Ｔｓ１を表している。
【００２３】
「空調装置制御」は、複数の空調装置２１〜２３の設定温度を、ユーザがそれぞれ設定した設定目標温度Ｔｅ１〜Ｔｅ３に徐々に段階的に近づけることにより、空調装置２１〜２３の総消費電力Ｐが、発電装置１の最大出力電力Ｗを大きく越えないようにする制御である。以下の説明では、空調装置２１〜２３が暖房運転を行っている場合の「空調装置制御」について説明する。
まず、制御目標温度算出部３ｅは、図４の時刻ｔ１に示すように、第一空調装置２１の一回目の制御目標温度Ｔｓ０１として、第一空調装置２１が設けられている部屋９１の温度Ｔ１に一回目温度設定幅ΔＴｓ０１を加算した値を算出する。同様に、制御目標温度算出部３ｅは、第二空調装置２２の一回目の制御目標温度Ｔｓ０２として、第二空調装置２２が設けられている部屋９２の温度Ｔ２に一回目温度設定幅ΔＴｓ０２を加算した値を算出する。同様に、制御目標温度算出部３ｅは、第三空調装置２３の一回目の制御目標温度Ｔｓ０３として、第三空調装置２３が設けられている部屋９３の温度Ｔ３に一回目温度設定幅ΔＴｓ０３を加算した値を算出する。一回目温度設定幅ΔＴｓ０１〜ΔＴｓ０３は、予め設定されている値であり、例えば２℃である。
【００２４】
次に、第一駆動制御部３ｆは、図３の時刻ｔ１において、上記それぞれ算出した空調装置２１〜２３の一回目の制御目標温度Ｔｓ０１〜Ｔｓ０３を、それぞれ、空調装置２１〜２３の設定温度として設定して、空調装置２１〜２３を運転させる。図３において、Ｐ１１〜Ｐ３１は、空調装置２１〜２３の一回目の制御目標温度Ｔｓ０１〜Ｔｓ０３の設定時における各空調装置２１〜２３の消費電力である。
【００２５】
第一駆動制御部３ｆは、全ての空調装置２１〜２３の一回目の制御目標温度Ｔｓ０１〜Ｔｓ０３の設定が終了した時刻ｔ１から、第一待機時間ｔｍ１が経過した時刻ｔ２において、空調装置２１〜２３の総消費電力Ｐ１が発電装置１の最大出力電力Ｗを越えている場合には、空調装置２１〜２３の設定温度を変更しない。
一方で、第一駆動制御部３ｆは、時刻ｔ２において、全ての空調装置２１〜２３の消費電力Ｐ１１〜Ｐ３１の合計値である総消費電力Ｐ１が発電装置１の最大出力電力Ｗを越えていない場合には、以下の制御を実行する。
第一駆動制御部３ｆは、時刻ｔ２において、空調装置２１〜２３のそれぞれの一回目の制御目標温度Ｔｓ０１〜Ｔｓ０３と、空調装置２１〜２３が設けられている部屋９１〜９３のそれぞれの温度Ｔ１〜Ｔ３との温度差である第一温度差Ｔｇ０１〜Ｔｇ０３をそれぞれ算出する。そして、第一駆動制御部３ｆは、第一温度差Ｔｇ０１〜Ｔｇ０３が大きい順に空調装置２１〜２３の順位をつける。そして、制御目標温度算出部３ｅは、第一温度差Ｔｇ０１〜Ｔｇ０３が最も大きい空調装置２１〜２３（図３の実施形態では、第一空調装置２１）の二回目の制御目標温度Ｔｓ１〜Ｔｓ３として、空調装置２１〜２３が設けられている部屋９１〜９３の温度Ｔ１〜Ｔ３に二回目以降温度設定幅ΔＴｓ１〜ΔＴｓ３を加算した値を算出する。二回目以降温度設定幅ΔＴｓ１〜ΔＴｓ３は、予め設定されている値であり、例えば１℃である。本実施形態では、一回目温度設定幅ΔＴｓ０１〜ΔＴｓ０３は、二回目以降温度設定幅ΔＴｓ１〜ΔＴｓ３よりも大きな値に設定されている。なお、一回目温度設定幅ΔＴｓ０１〜ΔＴｓ０３が、二回目以降温度設定幅ΔＴｓ１〜ΔＴｓ３が同じ値であっても差し支え無い。そして、第一駆動制御部３ｆは、時刻ｔ２において、第一温度差Ｔｇ０１〜Ｔｇ０３が最も大きい空調装置２１〜２３（図３の実施形態では、第一空調装置２１）の設定温度を、上記算出した二回目の制御目標温度Ｔｓ１〜Ｔｓ３に変更する。
【００２６】
次に、制御目標温度算出部３ｅは、時刻ｔ２から第二待機時間ｔｍ２が経過した時刻ｔ３において、第一温度差Ｔｇ０１〜Ｔｇ０３が２番目に大きい空調装置２１〜２３（図３の実施形態では、第二空調装置２２）の二回目の設定温度Ｔｓ２として、空調装置２１〜２３が設けられている部屋９１〜９３の温度Ｔ１〜Ｔ３に二回目以降温度設定幅ΔＴｓ１〜ΔＴｓ３を加算した値を算出する。なお、第二待機時間ｔｍ２は、第一待機時間ｔｍ１よりも短い時間である。そして、第一駆動制御部３ｆは、時刻ｔ３において、第一温度差Ｔｇ０１〜Ｔｇ０３が２番目に大きい空調装置２１〜２３（図３の実施形態では、第二空調装置２２）の設定温度を、上記算出した二回目の制御目標温度Ｔｓ１〜Ｔｓ３に変更する。
【００２７】
次に、制御目標温度算出部３ｅは、時刻ｔ３から第二待機時間ｔｍ２が経過した時刻ｔ４において、第一温度差Ｔｇ０１〜Ｔｇ０３が３番目に大きい空調装置２１〜２３（図３の実施形態では、第三空調装置２３）の二回目の制御目標温度Ｔｓ１〜Ｔｓ３として、空調装置２１〜２３が設けられている部屋９１〜９３の温度Ｔ１〜Ｔ３に二回目以降温度設定幅ΔＴｓ１〜ΔＴｓ３を加算した値を算出する。そして、第一駆動制御部３ｆは、時刻ｔ４において、第一温度差Ｔｇ０１〜Ｔｇ０３が３番目に大きい空調装置２１〜２３（図３の実施形態では、第三空調装置２３）の設定温度を、上記算出した二回目の制御目標温度Ｔｓ１〜Ｔｓ３に変更する。図３において、Ｐ１２〜Ｐ３２は、空調装置２１〜２３の二回目の制御目標温度Ｔｓ１〜Ｔｓ３の設定時における各空調装置２１〜２３の消費電力である。
【００２８】
次に、第一駆動制御部３ｆは、全ての空調装置２１〜２３の二回目の制御目標温度Ｔｓ１〜Ｔｓ３の設定が終了した時刻ｔ４から、第一待機時間ｔｍ１が経過した時刻ｔ５において、全ての空調装置２１〜２３の消費電力Ｐ１１〜Ｐ３１、Ｐ１２〜Ｐ３２の合計値である総消費電力Ｐ２が発電装置１の最大出力電力Ｗを越えていない場合には、以下の制御を許可する。一方で、第一駆動制御部３ｆは、時刻ｔ５において、上記総消費電力Ｐ２が発電装置１の最大出力電力Ｗを越えている場合には、空調装置２１〜２３の設定温度を変更しない。
【００２９】
第一駆動制御部３ｆは、時刻ｔ５において、空調装置２１〜２３のそれぞれの二回目の制御目標温度Ｔｓ１〜Ｔｓ３と部屋９１〜９３の温度Ｔ１〜Ｔ３との温度差である第二温度差Ｔｇ１〜Ｔｇ３をそれぞれ算出する。第一駆動制御部３ｆは、第二温度差Ｔｇ１〜Ｔｇ３が大きい順に空調装置２１〜２３の順位をつける。そして、制御目標温度算出部３ｅは、第二温度差Ｔｇ１〜Ｔｇ３が最も大きい空調装置２１〜２３（図３の実施形態では、第二空調装置２２）の三回目の制御目標温度Ｔｓ１〜Ｔｓ３として、空調装置２１〜２３が設けられている部屋９１〜９３の温度Ｔ１〜Ｔ３に二回目以降温度設定幅ΔＴｓ１〜ΔＴｓ３を加算した値を算出する。そして、第一駆動制御部３ｆは、時刻ｔ５において、第二温度差Ｔｇ１〜Ｔｇ３が最も大きい空調装置２１〜２３（図３の実施形態では、第二空調装置２２）の設定温度を、上記算出した三回目の制御目標温度Ｔｓ１〜Ｔｓ３に変更する。
【００３０】
次に、制御目標温度算出部３ｅは、時刻ｔ５から第二待機時間ｔｍ２が経過した時刻ｔ６において、第二温度差Ｔｇ１〜Ｔｇ３が２番目に大きい空調装置２１〜２３（図３の実施形態では、第一空調装置２１）の三回目の制御目標温度Ｔｓ１〜Ｔｓ３として、空調装置２１〜２３が設けられている部屋９１〜９３の温度Ｔ１〜Ｔ３に二回目以降温度設定幅ΔＴｓ１〜ΔＴｓ３を加算した値を算出する。そして、第一駆動制御部３ｆは、時刻ｔ６において、第二温度差Ｔｇ１〜Ｔｇ３が２番目に大きい空調装置２１〜２３（図３の実施形態では、第一空調装置２１）の設定温度を、上記算出した三回目の制御目標温度Ｔｓ１〜Ｔｓ３に変更する。
【００３１】
次に、制御目標温度算出部３ｅは、時刻ｔ６から第二待機時間ｔｍ２が経過した時刻ｔ７において、第二温度差Ｔｇ１〜Ｔｇ３が３番目に大きい空調装置２１〜２３（図３の実施形態では、第三空調装置２３）の三回目の制御目標温度Ｔｓ１〜Ｔｓ３として、前空調装置２１〜２３が設けられている部屋９１〜９３の温度Ｔ１〜Ｔ３に二回目以降温度設定幅ΔＴｓ１〜ΔＴｓ３を加算した値を算出する。そして、第一駆動制御部３ｆは、時刻ｔ７において、第二温度差Ｔｇ１〜Ｔｇ３が３番目に大きい空調装置２１〜２３（図３の実施形態では、第三空調装置２３）の設定温度を、上記算出した三回目の制御目標温度Ｔｓ１〜Ｔｓ３に変更する。
【００３２】
このように、第一駆動制御部３ｆは、第一温度差Ｔｇ０１〜Ｔｇ０３又は第二温度差Ｔｇ１〜Ｔｇ３がより大きい空調装置２１〜２３から順番に、この空調装置２１〜２３の設定温度を二回目以降制御目標温度Ｔｓ１〜Ｔｓ３に設定することを、全ての空調装置２１〜２３に行うローテーション制御を実行する。
【００３３】
次に、第一駆動制御部３ｆは、全ての空調装置２１〜２３の二回目の制御目標温度Ｔｓ１〜Ｔｓ３の設定が終了した時刻ｔ７から、第一待機時間ｔｍ１が経過した時刻ｔ８において、全ての空調装置２１〜２３の消費電力Ｐ１１〜Ｐ３１、Ｐ１２〜Ｐ３２、Ｐ１３〜Ｐ３３の合計値である総消費電力Ｐ３が発電装置１の最大出力電力Ｗを越えていない場合には、上記したローテーション制御を許可する。一方で、第一駆動制御部３ｆは、時刻ｔ５において、総消費電力Ｐ２が発電装置１の最大出力電力Ｗを越えている場合には、上記したローテーション制御を禁止して、空調装置２１〜２３の設定温度を変更しない。
【００３４】
このように、ローテーション制御の実行により、各空調装置２１〜２３の制御目標温度Ｔｓ０１〜Ｔｓ０３、Ｔｓ１〜Ｔｓ３は、設定目標温度Ｔｅ１〜Ｔｅ３に徐々に段階的に近づけられる。そして、全ての空調装置２１〜２３の消費電力の合計値である総消費電力Ｐｎが発電装置１の最大出力電力Ｗを越えた場合には（図３のｔ８）、上記したローテーション制御が禁止され、空調装置２１〜２３の設定温度が変更されずに維持される。これにより、空調装置２１〜２３の総消費電力Ｐｎが、発電装置１の最大出力電力Ｗを大きく越えない。この結果、系統電源３０１から空調装置２１〜２３への電力供給量が大きくならない。
【００３５】
そして、空調装置２１〜２３の設定温度が維持され、各空調装置２１〜２３が設置されている部屋９１〜９３の温度Ｔ１〜Ｔ３が、各空調装置２１〜２３の制御目標温度Ｔｓ１〜Ｔｓ３に近づくと、各空調装置２１〜２３の消費電力が低下し、総消費電力Ｐｎが発電装置１の最大出力電力Ｗよりも低くなる。すると、第一駆動制御部３ｆは、上記したように、各空調装置２１〜２３の制御目標温度Ｔｓ１〜Ｔｓ３が、順次、二回目以降温度設定幅ΔＴｓ２だけ設定目標温度Ｔｅ１〜Ｔｅ３に近づくローテーション制御を許可する。このようにして、空調装置２１〜２３の総消費電力Ｐｎが、発電装置１の最大出力電力Ｗを大きく越えることが抑制されつつ、最終的には、各空調装置２１〜２３が設置されている部屋９１〜９３の温度Ｔ１〜Ｔ３が、各空調装置２１〜２３の設定目標温度Ｔｅ１〜Ｔｅ３となる。
【００３６】
（第一実施形態の空調装置制御のフローチャート）
以下に図５を用いて、上記説明した第一実施形態の「空調装置制御」のフローチャートについて説明する。
制御装置３に電源が投入されると、プログラムはステップＳ１０に進む。
ステップＳ１０において、制御装置３は、空調装置２１〜２３のうちいずれかが運転していると判断した場合には（ステップＳ１０：ＹＥＳ）、「空調装置制御」を開始して、プログラムをステップＳ１１に進める。一方で、制御装置３は、空調装置２１〜２３のうちいずれもが運転していないと判断した場合には（ステップＳ１０：ＮＯ）、ステップＳ１０の処理を繰り返す。ステップＳ１０が終了すると、プログラムはステップＳ１１に進む。
【００３７】
ステップＳ１１において、温度取得部３ｄは、運転している空調装置２１〜２３の設定目標温度Ｔｅ１〜Ｔｅ３を空調装置２１〜２３から取得し、プログラムをステップＳ１２に進める。
ステップＳ１２において、制御目標温度算出部３ｅは、空調装置２１〜２３が設けられている部屋９１〜９３の温度Ｔ１〜Ｔ３に一回目温度設定幅ΔＴｓ０１〜ΔＴｓ０３を加算又は減算した値を一回目の制御目標温度Ｔｓ０１〜Ｔｓ０３として算出する。そして、第一駆動制御部３ｆは、運転している空調装置２１〜２３の設定温度を、上記算出した一回目の制御目標温度Ｔｓ０１〜Ｔｓ０３に設定して、空調装置２１〜２３を運転させる。ステップＳ１２が終了した場合には、制御装置３は、プログラムをステップＳ１３に進める。
【００３８】
ステップＳ１３において、設定目標温度取得部３ｃは、ユーザの携帯端末２０１又はコントローラ３１〜３３の操作によって、運転している空調装置２１〜２３の設定目標温度Ｔｅ１〜Ｔｅ３が変更されたと判断した場合には（ステップＳ１３：ＹＥＳ）、プログラムをステップＳ１４に進める。一方で、設定目標温度取得部３ｃは、運転している空調装置２１〜２３の設定目標温度Ｔｅ１〜Ｔｅ３が変更されていないと判断した場合には（ステップＳ１３：ＮＯ）、プログラムをステップＳ１６に進める。
【００３９】
ステップＳ１４において、制御装置３は、運転している空調装置２１〜２３の制御目標温度Ｔｓ０１〜Ｔｓ０３、Ｔｓ１〜Ｔｓ３を変更する必要が有ると判断した場合には（ステップＳ１４：ＹＥＳ）、プログラムをステップＳ１５に進める。一方で、制御装置３は、運転している空調装置２１〜２３の制御目標温度Ｔｓ０１〜Ｔｓ０３、Ｔｓ１〜Ｔｓ３を変更する必要が無いと判断した場合には（ステップＳ１４：ＮＯ）、プログラムをステップＳ１６に進める。空調装置２１〜２３が暖房運転を行っている場合に、制御装置３は、変更された設定目標温度Ｔｅ１’〜Ｔｅ２’が、一回目の制御目標温度Ｔｓ０１〜Ｔｓ０３又は二回目以降制御目標温度Ｔｓ１〜Ｔｓ３以下である場合に、空調装置２１〜２３の設定温度を変更する必要が有ると判断する。一方で、制御装置３は、変更された設定目標温度Ｔｅ１’〜Ｔｅ３’が、一回目の制御目標温度Ｔｓ０１〜Ｔｓ０３又は二回目以降制御目標温度Ｔｓ１〜Ｔｓ３より高い場合に、空調装置２１〜２３の設定温度を変更する必要が無いと判断する。空調装置２１〜２３が冷房運転を行っている場合に、制御装置３は、変更された設定目標温度Ｔｅ１’〜Ｔｅ３’が、一回目の制御目標温度Ｔｓ０１〜Ｔｓ０３又は二回目以降制御目標温度Ｔｓ１〜Ｔｓ３以上である場合に、空調装置２１〜２３の設定温度を変更する必要が有ると判断する。一方で、制御装置３は、変更された設定目標温度Ｔｅ１’〜Ｔｅ２’が、一回目の制御目標温度Ｔｓ０１〜Ｔｓ０３又は二回目以降制御目標温度Ｔｓ１〜Ｔｓ３より低い場合に、空調装置２１〜２３の設定温度を変更する必要が無いと判断する。
【００４０】
ステップＳ１５において、制御装置３は、空調装置２１〜２３の制御目標温度Ｔｓ０１〜Ｔｓ０３、Ｔｓ１〜Ｔｓ３を、変更された設定目標温度Ｔｅ１’〜Ｔｅ３’に変更する。ステップＳ１５が終了すると、制御装置３は、プログラムをステップＳ１６に進める。
【００４１】
ステップＳ１６において、制御装置３は、ステップＳ１２が実行され、或いは、Ｓ２６又はＳ３６ＹＥＳと判断された時点から、第一待機時間ｔｍ１が経過したと判断した場合には（ステップＳ１６：ＹＥＳ）、プログラムをステップＳ１７に進める。一方で、制御装置３は、ステップＳ１２が実行され、或いは、Ｓ２６又はＳ３６ＹＥＳと判断された時点から、第一待機時間ｔｍ１が経過していないと判断した場合には（ステップＳ１６：ＮＯ）、ステップＳ１６の処理を繰り返す。
【００４２】
ステップＳ１７において、総消費電力導出部３ｂは、分電盤４から各空調装置２１〜２３の消費電力を取得し、空調装置２１〜２３の消費電力の合計値である総消費電力Ｐｎを算出する。そして、最大出力電力取得部３ａは、発電装置１から、発電装置１の最大出力電力Ｗを取得する。そして、第一駆動制御部３ｆは、空調装置２１〜２３の総消費電力Ｐｎが発電装置１の最大出力電力Ｗ以上であると判断した場合には（ステップＳ１７：ＹＥＳ）、プログラムをステップＳ１８に進める。一方で、第一駆動制御部３ｆは、空調装置２１〜２３の総消費電力Ｐｎが発電装置１の最大出力電力Ｗ未満であると判断した場合には（ステップＳ１７：ＮＯ）、プログラムをステップＳ２０に進める。
【００４３】
ステップＳ２０において、制御装置３は、二回目以降制御目標温度Ｔｓ１〜Ｔｓ３が各空調装置２１〜２３に設定したことが有ると判断した場合には（ステップＳ２０：ＹＥＳ）、プログラムをステップＳ３１に進める。一方で、制御装置３は、二回目以降制御目標温度Ｔｓ１〜Ｔｓ３が各空調装置２１〜２３に設定したことが無いと判断した場合には（ステップＳ２０：ＮＯ）、プログラムをステップＳ２１に進める。
【００４４】
ステップＳ１８において、制御装置３は、運転している空調装置２１〜２３が無いと判断した場合に、又は、ユーザが携帯端末２０１によって「空調装置制御」を停止させる操作を行ったと判断した場合に（ステップＳ１８：ＹＥＳ）、「空調装置制御」を終了させて、プログラムをステップＳ１０に戻す。一方で、制御装置３は、運転している空調装置２１〜２３が有ると判断した場合には（ステップＳ１８：ＮＯ）、プログラムをステップＳ１９に進める。
【００４５】
ステップＳ１９において、第二駆動制御部３ｇは、空調装置２１〜２３の設定温度として現在の一回目の制御目標温度Ｔｓ０１〜Ｔｓ０３又は二回目以降制御目標温度Ｔｓ１〜Ｔｓ３を維持する。そして、第二駆動制御部３ｇは、維持された一回目の制御目標温度Ｔｓ０１〜Ｔｓ０３又は二回目以降制御目標温度Ｔｓ１〜Ｔｓ３となるように複数の空調装置２１〜２３を制御する。ステップＳ１９が終了すると、制御装置３は、プログラムをステップＳ１３に戻す。
このように、総消費電力Ｐｎが発電装置１の最大出力電力Ｗ以上であり（ステップＳ１７：ＹＥＳ）、「複数空調装置器制御」が終了しない場合には（ステップＳ１８：ＮＯ）、プログラムは、ステップＳ１９において、空調装置２１〜２３の設定温度として現在の一回目の制御目標温度Ｔｓ０１〜Ｔｓ０３又は二回目以降制御目標温度Ｔｓ１〜Ｔｓ３が維持される。このため、空調装置２１〜２３の消費電力が増加すること無く、空調装置２１〜２３の総消費電力Ｐｎが最大出力電力Ｗを大きく越えることが抑制される。
【００４６】
ステップＳ２１において、第一駆動制御部３ｆは、空調装置２１〜２３の制御目標温度Ｔｓ１〜Ｔｓ３が設定目標温度Ｔｅ１〜Ｔｅ３に達した空調装置２１〜２３が有ると判断した場合には（ステップＳ２１：ＹＥＳ）、プログラムをステップＳ２２に進める。一方で、第一駆動制御部３ｆは、空調装置２１〜２３の制御目標温度Ｔｓ１〜Ｔｓ３が設定目標温度Ｔｅ１〜Ｔｅ３に達した空調装置２１〜２３が無いと判断した場合には（ステップＳ２１：ＮＯ）、プログラムをステップＳ２３に進める。
【００４７】
ステップＳ２２において、第一駆動制御部３ｆは、ステップＳ２１において制御目標温度Ｔｓ１〜Ｔｓ３が設定目標温度Ｔｅ１〜Ｔｅ３に達したと判断された空調装置２１〜２３を、「空調装置制御」の制御対象から外し、プログラムをステップＳ２３に進める。「空調装置制御」の制御対象から外された空調装置２１〜２３は、空調装置２１〜２３が設けられている部屋９１〜９３の温度Ｔ１〜Ｔ３が設定目標温度Ｔｅ１〜Ｔｅ３となるように運転が制御される。
【００４８】
ステップＳ２３において、第一駆動制御部３ｆは、「空調装置制御」の制御対象となっている空調装置２１〜２３が無いと判断した場合に、又は、ユーザが携帯端末２０１によって「空調装置制御」を停止させる操作を行ったと判断した場合に（ステップＳ２３：ＹＥＳ）、「空調装置制御」を終了させて、プログラムをステップＳ１０に戻す。一方で、第一駆動制御部３ｆは、「空調装置制御」の制御対象となっている空調装置２１〜２３が有ると判断した場合に（ステップＳ２３：ＮＯ）、プログラムをステップＳ２４に進める。
【００４９】
ステップＳ２４において、第一駆動制御部３ｆは、一回目の制御目標温度Ｔｓ０１〜Ｔｓ０３と空調装置２１〜２３が設けられている部屋９１〜９３の温度Ｔ１〜Ｔ３との温度差である第一温度差Ｔｇ０１〜Ｔｇ０３が大きい順に空調装置２１〜２３の順位をつけて、プログラムをステップＳ２５に進める。
【００５０】
ステップＳ２５において、制御目標温度算出部３ｅは、第一温度差Ｔｇ０１〜Ｔｇ０３が最も大きい空調装置２１〜２３の二回目の制御目標温度Ｔｓ１〜Ｔｓ３として、空調装置２１〜２３が設けられている部屋９１〜９３の温度Ｔ１〜Ｔ３に二回目以降温度設定幅ΔＴｓ１〜ΔＴｓ３を加算又は減算した値を算出する。そして、第一駆動制御部３ｆは、第一温度差Ｔｇ０１〜Ｔｇ０３が最も大きい空調装置２１〜２３の設定温度を、上記算出した二回目の制御目標温度Ｔｓ１〜Ｔｓ３に変更する。次に、制御目標温度算出部３ｅは、第一温度差Ｔｇ０１〜Ｔｇ０３が二番目に大きい空調装置２１〜２３の二回目の制御目標温度Ｔｓ１〜Ｔｓ３として、当該空調装置２１〜２３が設けられている部屋９１〜９３の温度Ｔ１〜Ｔ３に二回目以降温度設定幅ΔＴｓ１〜ΔＴｓ３を加算又は減算した値を算出する。そして、第一駆動制御部３ｆは、第一温度差Ｔｇ０１〜Ｔｇ０３が最も大きい空調装置２１〜２３の設定温度を変更した時から第二待機時間ｔｍ２が経過した時に、第一温度差Ｔｇ０１〜Ｔｇ０３が二番目に大きい空調装置２１〜２３の設定温度を、上記算出した二回目の制御目標温度Ｔｓ１〜Ｔｓ３に変更する。次に、制御目標温度算出部３ｅは、第一温度差Ｔｇ０１〜Ｔｇ０３が三番目に大きい空調装置２１〜２３の二回目の制御目標温度Ｔｓ１〜Ｔｓ３として、当該空調装置２１〜２３が設けられている部屋９１〜９３の温度Ｔ１〜Ｔ３に二回目以降温度設定幅ΔＴｓ１〜ΔＴｓ３を加算又は減算した値を算出する。そして、制御目標温度算出部３ｅは、第一温度差Ｔｇ０１〜Ｔｇ０３が二番目に大きい空調装置２１〜２３の設定温度を変更した時から第二待機時間ｔｍ２が経過した時に、第一温度差Ｔｇ０１〜Ｔｇ０３が三番目に大きい空調装置２１〜２３の設定温度を、上記算出した二回目の制御目標温度Ｔｓ１〜Ｔｓ３に変更する。なお、第一温度差Ｔｇ０１〜Ｔｇ０３が同じ空調装置２１〜２３が存在する場合には、制御目標温度算出部３ｅは、第一温度差Ｔｇ０１〜Ｔｇ０３が同じ空調装置２１〜２３の設定温度を同時に変更する。ステップＳ２５が終了すると、制御装置３は、プログラムをステップＳ２６に進める。
【００５１】
ステップＳ２６において、第一駆動制御部３ｆは、ステップＳ２５において、全ての空調装置２１〜２３の設定温度が設定された判断した場合には（ステップＳ２６：ＹＥＳ）、プログラムをステップＳ１３に戻す。一方で、第一駆動制御部３ｆは、ステップＳ２５において、全ての空調装置２１〜２３の設定温度が設定されていないと判断した場合には（ステップＳ２６：ＮＯ）、プログラムをステップＳ２５に戻す。
【００５２】
ステップＳ３１〜ステップＳ３６の処理は、上記説明したステップＳ２１〜ステップＳ２６の処理と同様であるが、異なる点について以下に説明する。
ステップＳ３４において、第一駆動制御部３ｆは、「空調装置制御」の制御対象の空調装置２１〜２３のうち、二回目以降制御目標温度Ｔｓ１〜Ｔｓ３と空調装置２１〜２３が設けられている部屋９１〜９３の温度Ｔ１〜Ｔ３との温度差である第二温度差Ｔｇ１〜Ｔｇ３が大きい順に空調装置の順位をつけて、プログラムをステップＳ３５に進める。
【００５３】
ステップＳ３５において、制御目標温度算出部３ｅは、第二温度差Ｔｇ１〜Ｔｇ３が最も大きい空調装置２１〜２３の三回目以降の制御目標温度Ｔｓ１〜Ｔｓ３として、当該空調装置２１〜２３が設けられている部屋９１〜９３の温度Ｔ１〜Ｔ３に二回目以降温度設定幅ΔＴｓ１〜ΔＴｓ３を加算又は減算した値を算出する。そして、第一駆動制御部３ｆは、第二温度差Ｔｇ１〜Ｔｇ３が最も大きい空調装置２１〜２３の設定温度を、上記算出した三回目以降の制御目標温度Ｔｓ１〜Ｔｓ３に設定する。次に、制御目標温度算出部３ｅは、第二温度差Ｔｇ１〜Ｔｇ３が二番目に大きい空調装置２１〜２３の三回目以降の制御目標温度Ｔｓ１〜Ｔｓ３として、当該空調装置２１〜２３が設けられている部屋９１〜９３の温度Ｔ１〜Ｔ３に二回目以降温度設定幅ΔＴｓ１〜ΔＴｓ３を加算した値を算出する。そして、第一駆動制御部３ｆは、第二温度差Ｔｇ１〜Ｔｇ３が最も大きい空調装置２１〜２３の設定温度を変更した時から第二待機時間ｔｍ２が経過した時に、第二温度差Ｔｇ１〜Ｔｇ３が二番目に大きい空調装置２１〜２３の設定温度を、上記算出した三回目以降の制御目標温度Ｔｓ１〜Ｔｓ３に変更する。次に、制御目標温度算出部３ｅは、第二温度差Ｔｇ１〜Ｔｇ３が三番目に大きい空調装置２１〜２３の三回目以降の制御目標温度Ｔｓ１〜Ｔｓ３として、当該空調装置２１〜２３が設けられている部屋９１〜９３の温度Ｔ１〜Ｔ３に二回目以降温度設定幅ΔＴｓ１〜ΔＴｓ３を加算した値を算出する。そして、第一駆動制御部３ｆは、第二温度差Ｔｇ１〜Ｔｇ３が二番目に大きい空調装置２１〜２３の設定温度を変更した時から第二待機時間ｔｍ２が経過した時に、第二温度差Ｔｇ１〜Ｔｇ３が三番目に大きい空調装置２１〜２３の設定温度を、上記算出した三回目以降の制御目標温度Ｔｓ１〜Ｔｓ３に変更する。なお、第二温度差Ｔｇ１〜Ｔｇ３が同じ空調装置２１〜２３が存在する場合には、第一駆動制御部３ｆは、第二温度差Ｔｇ１〜Ｔｇ３が同じ空調装置２１〜２３の設定温度を同時に変更する。ステップＳ３５が終了すると、制御装置３は、プログラムをステップＳ３６に進める。
【００５４】
（第二実施形態の空調装置制御の概要）
以下に、図６を用いて、第二実施形態の「空調装置制御」の概要について説明する。以下の説明において、空調装置２１〜２３は暖房運転を行うものとする。
まず、制御目標温度算出部３ｅは、第一空調装置２１の一回目の制御目標温度Ｔｓ０１として、第一空調装置２１が設けられている部屋９１の温度Ｔ１に一回目温度設定幅ΔＴｓ０１を加算した値を算出する。同様に、制御目標温度算出部３ｅは、第二空調装置２２の一回目の制御目標温度Ｔｓ０２として、第二空調装置２２が設けられている部屋９２の温度Ｔ２に一回目温度設定幅ΔＴｓ０２を加算した値を算出する。同様に、制御目標温度算出部３ｅは、第三空調装置２３の一回目の制御目標温度Ｔｓ０３として、第三空調装置２３が設けられている部屋９３の温度Ｔ３に一回目温度設定幅ΔＴｓ０３を加算した値を算出する。
【００５５】
次に、第一駆動制御部３ｆは、図６の時刻ｔ１において、上記それぞれ算出された一回目の制御目標温度Ｔｓ０１〜Ｔｓ０３を、空調装置２１〜２３の設定温度として設定し、空調装置２１〜２３を運転させる。
次に、第一駆動制御部３ｆは、時刻ｔ１から第一待機時間ｔｍ１が経過した時刻ｔ２において、空調装置２１〜２３のそれぞれの一回目の制御目標温度Ｔｓ０１〜Ｔｓ０３と空調装置２１〜２３が設けられている部屋９１〜９３の温度Ｔ１〜Ｔ３との温度差である第一温度差Ｔｇ０１〜Ｔｇ０３をそれぞれ算出する。第一駆動制御部３ｆは、第一温度差Ｔｇ０１〜Ｔｇ０３が大きい順に空調装置２１〜２３の順位をつける。そして、制御目標温度算出部３ｅは、第一温度差Ｔｇ０１〜Ｔｇ０３が最も大きい空調装置２１〜２３（図６の実施形態では、第一空調装置２１）の二回目の制御目標温度Ｔｓ１として、当該空調装置２１〜２３が設けられている部屋９１〜９３の温度Ｔ１〜Ｔ３に二回目以降温度設定幅ΔＴｓ１〜ΔＴｓ３を加算した値を算出する。そして、第一駆動制御部３ｆは、時刻ｔ２において、第一温度差Ｔｇ０１〜Ｔｇ０３が最も大きい空調装置２１〜２３（図６の実施形態では、第一空調装置２１）の設定温度を、上記算出した二回目の制御目標温度Ｔｓ１〜Ｔｓ３に変更する。
【００５６】
次に、第一駆動制御部３ｆは、時刻ｔ２から第二待機時間ｔｍ２が経過した時刻ｔ３において、空調装置２１〜２３の総消費電力Ｐ２が、発電装置１の最大出力電力Ｗよりも小さい場合には、第一温度差Ｔｇ０１〜Ｔｇ０３が最も大きい空調装置２１〜２３（図６の実施形態では、第一空調装置２１）の二回目以降の制御目標温度Ｔｓ１〜Ｔｓ３を設定目標温度Ｔｅ１〜Ｔｅ３に近づけるために、以下の処理を許可する。制御目標温度算出部３ｅは、第一温度差Ｔｇ０１〜Ｔｇ０３が最も大きい空調装置２１〜２３（図６の実施形態では、第一空調装置２１）の三回目の制御目標温度Ｔｓ１〜Ｔｓ３として、当該空調装置２１〜２３が設けられている部屋９１〜９３の温度Ｔ１〜Ｔ３に二回目以降温度設定幅ΔＴｓ１〜ΔＴｓ３を加算した値を算出する。そして、第一駆動制御部３ｆは、時刻ｔ２において、第一温度差Ｔｇ０１〜Ｔｇ０３が最も大きい空調装置２１〜２３（図６の実施形態では、第一空調装置２１）の設定温度を、上記算出した三回目の制御目標温度Ｔｓ１〜Ｔｓ３に設定する。このようにして、第一駆動制御部３ｆは、第二待機時間ｔｍ２が経過する度に、第一温度差Ｔｇ０１〜Ｔｇ０３が最も大きい空調装置２１〜２３の制御目標温度Ｔｓ１〜Ｔｓ３を、他の空調装置２１〜２３に優先して、設定目標温度Ｔｅ１〜Ｔｅ３に近づける優先制御を実行する。
【００５７】
そして、第一駆動制御部３ｆは、第一温度差Ｔｇ０１〜Ｔｇ０３が最も大きい空調装置２１〜２３の制御目標温度Ｔｓ１〜Ｔｓ３が設定目標温度Ｔｅ１〜Ｔｅ３に達した場合には、当該空調装置２１〜２３の制御目標温度Ｔｓ１〜Ｔｓ３を、設定目標温度Ｔｅ１〜Ｔｅ３に近づける優先制御を停止し、優先制御が完了する。すると、空調装置２１〜２３は、各部屋９１〜９３の温度Ｔ１〜Ｔ３を設定目標温度Ｔｅ１〜Ｔｅ３にするように制御される維持運転状態となる。そして、第一駆動制御部３ｆは、上記した方法と同様に、第一温度差Ｔｇ０１〜Ｔｇ０３が二番目に大きい空調装置２１〜２３の制御目標温度Ｔｓ１〜Ｔｓ３を、優先的に、設定目標温度Ｔｅ１〜Ｔｅ３に近づける優先制御を開始する。そして、第一駆動制御部３ｆは、第一温度差Ｔｇ０１〜Ｔｇ０３が二番目に大きい空調装置２１〜２３の制御目標温度Ｔｓ１〜Ｔｓ３が設定目標温度Ｔｅ１〜Ｔｅ３に達した場合には、当該空調装置２１〜２３の制御目標温度Ｔｓ１〜Ｔｓ３を、設定目標温度Ｔｅ１〜Ｔｅ３に近づける優先制御を停止し、優先制御が完了する。すると、空調装置２１〜２３は、各部屋９１〜９３の温度Ｔ１〜Ｔ３を設定目標温度Ｔｅ１〜Ｔｅ３にするように制御される維持運転状態となる。そして、第一駆動制御部３ｆは、上記した方法と同様に、第一温度差Ｔｇ０１〜Ｔｇ０３が三番目に大きい空調装置２１〜２３の制御目標温度Ｔｓ１〜Ｔｓ３を、設定目標温度Ｔｅ１〜Ｔｅ３に近づける制御を開始する。このようにして、全ての空調装置２１〜２３の制御目標温度Ｔｓ１〜Ｔｓ３が、設定目標温度Ｔｅ１〜Ｔｅ３となる。
【００５８】
また、第一駆動制御部３ｆは、空調装置２１〜２３の総消費電力Ｐｎが、発電装置１の最大出力電力Ｗを越えた場合には、特定の空調装置２１〜２３の制御目標温度Ｔｓ１〜Ｔｓ３を、優先的に、設定目標温度Ｔｅ１〜Ｔｅ３に近づける優先制御を停止する。空調装置２１〜２３が設けられている部屋９１〜９３の温度Ｔ１〜Ｔ３が空調装置２１〜２３の制御目標温度Ｔｓ１〜Ｔｓ３に近づくと、空調装置２１〜２３の総消費電力Ｐｎが低下する。すると、空調装置２１〜２３の総消費電力Ｐｎが、発電装置１の最大出力電力Ｗよりも小さくなる。この場合に、第一駆動制御部３ｆは、上記した優先制御を再び開始させる。そして、第一駆動制御部３ｆは、上記した特定の空調装置２１〜２３の制御目標温度Ｔｓ１〜Ｔｓ３を、優先的に、設定目標温度Ｔｅ１〜Ｔｅ３に近づける制御を再び開始する。このようにして、空調装置２１〜２３の総消費電力Ｐｎが、発電装置１の最大出力電力Ｗを大幅に超えること無く、全ての空調装置２１〜２３の制御目標温度Ｔｓ１〜Ｔｓ３が、設定目標温度Ｔｅ１〜Ｔｅ３となる。
【００５９】
（第二実施形態の空調装置制御のフローチャート）
以下に図７を用いて、上記説明した第二実施形態の「空調装置制御」のフローチャートについて説明する。ステップＳ１０〜Ｓ１２については、第一実施形態の「空調装置制御」のステップＳ１０〜Ｓ１２と同じ処理であるので、その説明を省略する。
ステップＳ１２が終了すると、制御装置３は、プログラムをステップＳ５６に進める。
ステップＳ５６において、制御装置３は、ステップＳ１２から、第一待機時間ｔｍ１が経過したと判断した場合には（ステップＳ５６：ＹＥＳ）、プログラムをステップＳ６３に進める。一方で、制御装置３は、ステップＳ１２から、第一待機時間ｔｍ１が経過していないと判断した場合には（ステップＳ５６：ＮＯ）、ステップＳ５６の処理を繰り返す。
ステップＳ６３〜ステップＳ６５の処理は、それぞれ、第一実施形態の「空調装置制御」のステップＳ１３〜ステップＳ１５と同一の処理である。
【００６０】
ステップＳ７７において、総消費電力導出部３ｂは、分電盤４から各空調装置２１〜２３の消費電力を取得する。そして、制御装置３は、空調装置２１〜２３の消費電力の合計値である総消費電力Ｐｎを算出する。そして、最大出力電力取得部３ａは、発電装置１から、発電装置１の最大出力電力Ｗを取得する。次に、第一駆動制御部３ｆは、空調装置２１〜２３の総消費電力Ｐｎが発電装置１の最大出力電力Ｗ以上であると判断した場合には（ステップＳ７７：ＹＥＳ）、プログラムをステップＳ７８に進める。一方で、第一駆動制御部３ｆは、空調装置２１〜２３の総消費電力Ｐｎが発電装置１の最大出力電力Ｗ未満であると判断した場合には（ステップＳ７７：ＮＯ）、プログラムをステップＳ８１に進める。
【００６１】
ステップＳ７８において、制御装置３は、運転している空調装置２１〜２３が無いと判断した場合に、又は、ユーザが携帯端末２０１によって「空調装置制御」を停止させる操作を行ったと判断した場合に（ステップＳ７８：ＹＥＳ）、「空調装置制御」を終了させて、プログラムをステップＳ１０に戻す。一方で、制御装置３は、運転している空調装置２１〜２３が有ると判断した場合には（ステップＳ７８：ＮＯ）、プログラムをステップＳ７９に進める。
【００６２】
ステップＳ７９において、第二駆動制御部３ｇは、空調装置２１〜２３の設定温度として現在の一回目の制御目標温度Ｔｓ０１〜Ｔｓ０３又は二回目以降制御目標温度Ｔｓ１〜Ｔｓ３を維持する。そして、第二駆動制御部３ｇは、維持された一回目の制御目標温度Ｔｓ０１〜Ｔｓ０３又は二回目以降制御目標温度Ｔｓ１〜Ｔｓ３となるように複数の空調装置２１〜２３を制御する。ステップＳ７９が終了すると、制御装置３は、プログラムをステップＳ６３に戻す。
【００６３】
ステップＳ８１において、第一駆動制御部３ｆは、「空調装置制御」の制御対象の空調装置２１〜２３のうち、一回目の制御目標温度Ｔｓ０１〜Ｔｓ０３と空調装置２１〜２３が設けられている部屋９１〜９３の温度Ｔ１〜Ｔ３との温度差である第一温度差Ｔｇ０１〜Ｔｇ０３を算出する。次に、第一駆動制御部３ｆは、第一温度差Ｔｇ０１〜Ｔｇ０３が大きい順に、空調装置２１〜２３の順位をつける。制御装置３は、ステップＳ８１が終了すると、プログラムをステップＳ８２に進める。
【００６４】
ステップＳ８２において、制御目標温度算出部３ｅは、第一温度差Ｔｇ０１〜Ｔｇ０３が最も大きい空調装置２１〜２３である優先空調装置の二回目以降の制御目標温度Ｔｓ１〜Ｔｓ３を算出する。つまり、制御目標温度算出部３ｅは、第一温度差Ｔｇ０１〜Ｔｇ０３が最も大きい空調装置２１〜２３である優先空調装置の二回目以降の制御目標温度Ｔｓ１〜Ｔｓ３として、当該空調装置２１〜２３が設けられている部屋９１〜９３の温度Ｔ１〜Ｔ３に二回目以降温度設定幅ΔＴｓ１〜ΔＴｓ３を加算又は減算した値を算出する。そして、第一駆動制御部３ｆは、第一温度差Ｔｇ０１〜Ｔｇ０３が最も大きい空調装置２１〜２３である優先空調装置の設定温度を上記算出した、二回目以降の制御目標温度Ｔｓ１〜Ｔｓ３に設定する。ステップＳ８２が終了すると、制御装置３は、プログラムをステップＳ８３に進める。
【００６５】
ステップＳ８３において、総消費電力導出部３ｂは、空調装置２１〜２３の消費電力を取得する。そして、制御装置３は、空調装置２１〜２３の消費電力の合計値である総消費電力Ｐｎを算出する。そして、最大出力電力取得部３ａは、発電装置１から最大出力電力Ｗを取得する。第一駆動制御部３ｆは、空調装置２１〜２３の総消費電力Ｐが発電装置１の最大出力電力Ｗ以上であると判断した場合には（ステップＳ８３：ＹＥＳ）、プログラムをステップＳ７８に進める。一方で、第一駆動制御部３ｆは、総消費電力Ｐｎが発電装置１の最大出力電力Ｗよりも小さいと判断した場合には（ステップＳ８３：ＮＯ）、プログラムをステップＳ８４に進める。
【００６６】
ステップＳ８４において、制御装置３は、運転している空調装置２１〜２３が無いと判断した場合に、又は、ユーザが携帯端末２０１によって「空調装置制御」を停止させる操作を行ったと判断した場合に（ステップＳ８４：ＹＥＳ）、「空調装置制御」を終了させて、プログラムをステップＳ１０に戻す。一方で、制御装置３は、運転している空調装置２１〜２３が有ると判断した場合には（ステップＳ８４：ＮＯ）、プログラムをステップＳ８５に進める。
【００６７】
ステップＳ８５において、第一駆動制御部３ｆは、ステップＳ８２において、設定温度が変更された空調装置２１〜２３の制御目標温度Ｔｓ１〜Ｔｓ３が設定目標温度Ｔｅ１〜Ｔｅ３に達したと判断した場合には（ステップＳ８５：ＹＥＳ）、プログラムをステップＳ８６に進める。一方で、第一駆動制御部３ｆは、ステップＳ８２において、設定温度が変更された空調装置２１〜２３の制御目標温度Ｔｓ１〜Ｔｓ３が設定目標温度Ｔｅ１〜Ｔｅ３に達していないと判断した場合には（ステップＳ８５：ＮＯ）、プログラムをステップＳ８７に進める。
【００６８】
ステップＳ８６において、第一駆動制御部３ｆは、ステップＳ８５において制御目標温度Ｔｓ１〜Ｔｓ３が設定目標温度Ｔｅ１〜Ｔｅ３に達したと判断された空調装置２１〜２３を、「空調装置制御」の制御対象から外し、プログラムをステップＳ６３に戻す。「空調装置制御」の制御対象から外された空調装置２１〜２３は、空調装置２１〜２３が設けられている部屋９１〜９３の温度Ｔ１〜Ｔ３が設定目標温度Ｔｅ１〜Ｔｅ３となるように運転が制御される。
【００６９】
ステップＳ８７において、制御装置３は、ステップＳ８２の処理を実行してから、第二待機時間ｔｍ２が経過したと判断した場合には（ステップＳ８７：ＹＥＳ）、プログラムをステップＳ８２に戻す。一方で、制御装置３は、ステップＳ８２の処理を実行してから、第二待機時間ｔｍ２が経過していないと判断した場合には（ステップＳ８７：ＮＯ）、プログラムをステップＳ８３に戻す。
【００７０】
このように、優先制御であるステップＳ８２〜ステップＳ８７が順次実行されることにより、「空調装置制御」の制御対象の空調装置２１〜２３のうち、第一温度差Ｔｇ０１〜Ｔｇ０３が最も大きい空調装置２１〜２３の制御目標温度Ｔｓ１〜Ｔｓ３が、優先的に、設定目標温度Ｔｅ１〜Ｔｅ３に近づけられる。そして、優先的に制御目標温度Ｔｓ１〜Ｔｓ３が設定目標温度Ｔｅ１〜Ｔｅ３に近づけられている空調装置２１〜２３の制御目標温度Ｔｓ１〜Ｔｓ３が設定目標温度Ｔｅ１〜Ｔｅ３に達した場合には（ステップＳ８５：ＹＥＳ）、この空調装置２１〜２３が「空調装置制御」の制御対象から外される（ステップＳ８６）。そして、「空調装置制御」の制御対象から残った空調装置２１〜２３のうち、第一温度差Ｔｇ０１〜Ｔｇ０３が最も大きい空調装置２１〜２３の制御目標温度Ｔｓ１〜Ｔｓ３が、優先的に、設定目標温度Ｔｅ１〜Ｔｅ３に近づけられる。このようにして、全ての空調装置２１〜２３の制御目標温度Ｔｓ１〜Ｔｓ３が、設定目標温度Ｔｅ１〜Ｔｅ３に設定される。
【００７１】
空調装置２１〜２３の消費電力の合計値である総消費電力Ｐｎが発電装置１の最大出力電力Ｗ以上である場合には（ステップＳ８３：ＹＥＳ）、ステップＳ７９において、空調装置２１〜２３の設定温度として現在の二回目以降制御目標温度Ｔｓ１〜Ｔｓ３が維持される。このため、空調装置２１〜２３の総消費電力Ｐｎが、発電装置１の最大出力電力Ｗを大幅に超えることが抑制される。
【００７２】
（本実施形態の効果）
上記の説明から明らかなように、制御目標温度算出部３ｅは、設定目標温度Ｔｅ１〜Ｔｅ３に近づくように、部屋９１〜９３の実際の温度Ｔ１〜Ｔ３に一回目温度設定幅ΔＴｓ０１〜ΔＴｓ０３又は二回目以降温度設定幅ΔＴｓ１〜ΔＴｓ３を加算又は減算して、複数の空調装置２１〜２３の駆動制御量に相当する二回目以降制御目標温度Ｔｓ１〜Ｔｓ３をそれぞれ算出する（図５のステップＳ１２、Ｓ２５、Ｓ３５、図７のＳ１２、Ｓ８２）。そして、第一駆動制御部３ｆは、空調装置２１〜２３の総消費電力Ｐｎが発電装置１の最大出力電力Ｗ未満である場合に（図５のステップＳ１７でＮＯと判断、図７のステップＳ７７でＮＯと判断）、制御目標温度算出部３ｅによって算出された各二回目以降制御目標温度Ｔｓ１〜Ｔｓ３となるように複数の空調装置２１〜２３の制御をする（図５のステップＳ１２、Ｓ２５、Ｓ３５、図７のＳ１２、Ｓ８２）。これにより、空調装置２１〜２３の総消費電力Ｐｎが、最大出力電力Ｗ未満である場合に、二回目以降制御目標温度Ｔｓ１〜Ｔｓ３が、設定目標温度Ｔｅ１〜Ｔｅ３に近づくように徐々に高く又は低くなる。このため、二回目以降制御目標温度Ｔｓ１〜Ｔｓ３が設定目標温度Ｔｅ１〜Ｔｅ３に近づく際に、二回目以降制御目標温度Ｔｓ１〜Ｔｓ３が大きく変更されることに起因して、空調装置２１〜２３の消費電力が一度に増大することが抑制される。この結果、空調装置２１〜２３の総消費電力Ｐｎがコジェネレーション５０の発電装置１の最大出力電力Ｗを大きく越えることが抑制される。よって、コジェネレーション５０の発電装置１が発電した電力で、空調装置２１〜２３が消費する電力をなるべく賄うことができる空調システム１００を提供することができる。
【００７３】
一般的に、系統電源３０１に連系して発電する発電装置の発電効率は約３７％である一方で、固体酸化物形燃料電池の発電効率は約４６％であるので、発電装置１が固体酸化物形燃料電池である場合には、空調装置２１〜２３は発電効率がより高い電源を利用することができる。また、系統電源３０１に連系して発電する発電装置によって発電された電力は、送電ロスにより約５％の電力が失われる。しかし、本実施形態では、系統電源３０１から各空調装置２１〜２３に供給される電力を低減させることができるので、送電ロスにより失われる電力を低減させることができる。
発電装置１が燃料電池装置である場合には、燃料電池装置の出力電力がなるべく最大出力電力Ｗに近づけられて、発電装置１が運転される程、燃料電池装置の発電効率が向上する。本実施形態では、発電装置１の出力電力がなるべく最大出力電力Ｗに近づけられて、発電装置１が運転される。このため、発電装置１が燃料電池装置である場合に、燃料電池装置の発電効率が良好となる。
【００７４】
第二駆動制御部３ｇは、空調装置２１〜２３の総消費電力Ｐｎが発電装置１の最大出力電力Ｗ以上である場合に（図５のステップＳ１７でＹＥＳと判断、図７のステップＳ７７でＹＥＳと判断）、現在の各制御目標温度Ｔｓ０１〜Ｔｓ０３、Ｔｓ１〜Ｔｓ３を維持して、当該各制御目標温度Ｔｓ０１〜Ｔｓ０３、Ｔｓ１〜Ｔｓ３となるように空調装置２１〜２３を制御する（図５のステップＳ１９、図７のステップＳ７９）。これにより、空調装置２１〜２３の総消費電力Ｐｎが発電装置１の最大出力電力Ｗ以上である場合に、現在の各制御目標温度Ｔｓ０１〜Ｔｓ０３、Ｔｓ１〜Ｔｓ３が維持されるので、空調装置２１〜２３の総消費電力Ｐｎの増大が防止される。このため、空調装置２１〜２３の総消費電力Ｐｎがコジェネレーション５０の発電装置１の最大出力電力Ｗを大きく越えることが確実に抑制される。
【００７５】
第一実施形態の「空調装置制御」では、第一駆動制御部３ｆは、二回目以降制御目標温度Ｔｓ１〜Ｔｓ３が設定目標温度Ｔｅ１〜Ｔｅ２に達するまでにおいて、以下に示すローテーション制御を行う。つまり、第一駆動制御部３ｆは、各空調装置２１〜２３の設定温度を、制御目標温度算出部３ｅが算出した各二回目以降制御目標温度Ｔｓ１〜Ｔｓ３とするローテーション制御を、各空調装置２１〜２３に順番に行う（図５のステップＳ２５、Ｓ３５）。これにより、各空調装置２１〜２３のそれぞれの二回目以降制御目標温度Ｔｓ１〜Ｔｓ３が順番に設定目標温度Ｔｅ１〜Ｔｅ３に近づく。このため、各二回目以降制御目標温度Ｔｓ１〜Ｔｓ３と各空調装置２１〜２３が設けられているそれぞれの部屋９１〜９３の温度Ｔ１〜Ｔ３との差が大きいままの状態となることが防止される。この結果、二回目以降制御目標温度Ｔｓ１〜Ｔｓ３と空調装置２１〜２３が設けられている部屋９１〜９３の温度Ｔ１〜Ｔ３との差が大きいままの状態となることに起因して、空調装置２１〜２３が設けられている部屋９１〜９３にいるユーザが不快に感じることが抑制される。
【００７６】
第一実施形態の「空調装置制御」では、第一駆動制御部３ｆは、制御目標温度Ｔｓ０１〜Ｔｓ０３、Ｔｓ１〜Ｔｓ３と空調装置２１〜２３が設置されている部屋９１〜９３の温度Ｔ１〜Ｔ３との差である第一温度差Ｔｇ０１〜Ｔｇ０３又は第二温度差Ｔｇ１〜Ｔｇ３が大きい空調装置２１〜２３から順番に、上記した空調装置２１〜２３のローテーション制御を行う。これにより、第一温度差Ｔｇ０１〜Ｔｇ０３又は第二温度差Ｔｇ１〜Ｔｇ３がより大きい空調装置２１〜２３から順番に、制御目標温度Ｔｓ０１〜Ｔｓ０３、Ｔｓ１〜Ｔｓ３が設定目標温度Ｔｅ１〜Ｔｅ３に近づくように設定される。このため、空調装置２１〜２３の効きが悪い部屋９１〜９３の温度から順番に、設定目標温度Ｔｅ１〜Ｔｅ３に近づけられる。この結果、空調装置２１〜２３の効きがより悪い部屋９１〜９３にいるユーザが、不快に感じることが抑制される。
【００７７】
第二実施形態の「空調装置制御」では、第一駆動制御部３ｆは、二回目以降制御目標温度Ｔｓ１〜Ｔｓ３が設定目標温度Ｔｅ１〜Ｔｅ３に達するまでにおいて、以下の優先制御を行う。つまり、第一駆動制御部３ｆは、一回目の制御目標温度Ｔｓ０１〜Ｔｓ０３又は二回目制御目標温度Ｔｓ１〜Ｔｓ３と空調装置２１〜２３が設置されている部屋９１〜９３の温度Ｔ１〜Ｔ３との差である第一温度差Ｔｇ０１〜Ｔｇ０３又は第二温度差Ｔｇ１〜Ｔｇ３が大きい空調装置２１〜２３を特定する。次に、第一駆動制御部３ｆは、特定した空調装置２１〜２３の制御目標温度Ｔｓ１〜Ｔｓ３を、優先的に、二回目以降温度設定幅ΔＴｓ１〜ΔＴｓ３だけ設定目標温度Ｔｅ１〜Ｔｅ３に近づける優先制御を実行する（図７のステップＳ８２）。これにより、第一温度差Ｔｇ０１〜Ｔｇ０３又は第二温度差Ｔｇ１〜Ｔｇ３が最も大きい空調装置２１〜２３が、他の空調装置２１〜２３に優先されて、二回目以降制御目標温度Ｔｓ１〜Ｔｓ３が繰り返し設定される。このため、空調装置２１〜２３の効きが最も悪い部屋９１〜９３の温度Ｔ１〜Ｔ３が、優先的に、設定目標温度Ｔｅ１〜Ｔｅ３に近づけられる。この結果、空調装置２１〜２３の効きが最も悪い部屋９１〜９３にいるユーザが、不快に感じることが抑制される。
【００７８】
制御目標温度算出部３ｅが最初（一回目）に部屋９１〜９３の実際の温度Ｔ１〜Ｔ３に加算又は減算する一回目温度設定幅ΔＴｓ０１〜ΔＴｓ０３は、制御目標温度算出部３ｅが二回目以降に部屋９１〜９３の実際の温度Ｔ１〜Ｔ３に加算又は減算する二回目以降温度設定幅ΔＴｓ１〜ΔＴｓ３よりも大きく設定されている。これにより、一回目温度設定幅ΔＴｓ０１〜ΔＴｓ０３が小さな値であることに起因して、第一温度差Ｔｇ０１〜Ｔｇ０３が小さい値となることが防止される。このため、第一駆動制御部３ｆが、第一温度差Ｔｇ０１〜Ｔｇ０３に基づいて、二回目以降制御目標温度Ｔｓ１〜Ｔｓ３を変更する空調装置２１〜２３を決定できなることが防止される。また、二回目以降温度設定幅ΔＴｓ１〜ΔＴｓ３が大きな値であることに起因して、前回の二回目以降制御目標温度Ｔｓ１〜Ｔｓ３に比べて二回目以降制御目標温度Ｔｓ１〜Ｔｓ３が急激に変更されることが防止される。このため、二回目以降制御目標温度Ｔｓ１〜Ｔｓ３が急激に変更されることに起因して、空調装置２１〜２３の消費電力が急激に増大することが防止される。この結果、空調装置２１〜２３の消費電力が急激に増大することが防止されることに起因して、空調装置２１〜２３の総消費電力Ｐｎが、発電装置１の最大出力電力Ｗを大きく越えることが抑制される。
【００７９】
（別の実施形態）
上記説明した実施形態では、発電装置１は、燃料電池装置である。しかし、発電装置１が、ガスタービンエンジン、ガソリン、軽油、ガス等の炭化水素を燃料とするレシプロエンジン等の内燃機関によって発電機を駆動させて発電する装置であっても差し支え無い。
【００８０】
上記説明した実施形態では、発電装置１が複数の空調装置２１〜２３に供給することができる電力の最大値である最大出力電力Ｗは、一定である。しかし、発電装置１が、空調装置２１〜２３以外の電力消費部に電力を供給し、最大出力電力Ｗが可変する実施形態であっても差し支え無い。
【００８１】
上記説明した実施形態では、一回目温度設定幅ΔＴｓ０１〜ΔＴｓ３、及び二回目以降温度設定幅ΔＴｓ１〜ΔＴｓ３は、予め設定された値である。しかし、ユーザが、携帯端末２０１を操作することにより、一回目温度設定幅ΔＴｓ０１〜ΔＴｓ３、及び二回目以降温度設定幅ΔＴｓ１〜ΔＴｓ３を設定することができる実施形態であっても差し支え無い。
【００８２】
上記説明した実施形態では、各空調装置２１〜２３が設置されている部屋９１〜９３の温度Ｔ１〜Ｔ３を検出する温度センサ２１ａ〜２３ａは、各空調装置２１〜２３に設けられている。しかし、温度センサ２１ａ〜２３ａが、各空調装置２１〜２３が設けられている部屋９１〜９３に設けられている実施形態であっても差し支え無い。
【００８３】
上記説明した実施形態では、空調装置２１〜２３は、エアコンディショナである。しかし、空調装置２１〜２３は、電気ファンヒータ、パネルヒータ等の暖房機器等、部屋９１〜９３の温度を調整し、設定温度が設定可能な装置であっても差し支え無い。このような実施形態であっても、上記した「空調装置制御」の実行によって、空調装置２１〜２３の制御目標温度Ｔｓ１が設定目標温度Ｔｅ１に近づけられる。
【００８４】
上記説明した実施形態では、空調装置２１〜２３は３台である。しかし、空調装置２１〜２３の数は、３台に限定されず、２台、或いは、４台以上であっても差し支え無い。上記説明した実施形態では、空調システム１００は、複数の空調装置２１〜２３を有している。しかし、空調システム１００が、１つの空調装置２１のみを有していても差し支え無い。このような実施形態であっても、上記した「空調装置制御」の実行によって、空調装置２１の制御目標温度Ｔｓ１が設定目標温度Ｔｅ１に近づけられる。
【符号の説明】
【００８５】
１…発電装置、３…制御装置、３ａ…最大出力電力取得部、３ｂ…総消費電力導出部、３ｃ…設定目標温度取得部、３ｄ…温度取得部、３ｅ…制御目標温度算出部、３ｆ…第一駆動制御部、３ｇ…第二駆動制御部、２１…第一空調装置、２１ａ…温度センサ（温度取得部）、２２…第二空調装置、２２ａ…温度センサ（温度取得部）、２３…第三空調装置、２３ａ…温度センサ（温度取得部）、５０…コジェネレーション、９０…建物、９１〜９３…部屋、１００…空調システム
【図１】
2018009763.tif 000003
【図２】
2018009763.tif 000004
【図３】
2018009763.tif 000005
【図４】
2018009763.tif 000006
【図５】
2018009763.tif 000007
【図６】
2018009763.tif 000008
【図７】
2018009763.tif 000009